(57)【要約】      （修正有）【課題】印刷性、筆記性あるいは押印性などの通常の筆記手段によって記号や文字を記録するために、特にベルト体の素材として紙を使用した封緘具を提供する。【解決手段】薄いシート状で、その表面に印刷あるいは筆記が可能なベルト体１と、このベルト体１の一端側に固定された環状体２Ｒと、この環状体２Ｒと前記ベルト体１の間に介挿された離型シート３とからなり、前記環状体２Ｒの内面に粘着剤層２ａが形成され、非封緘状態において前記環状体２Ｒの粘着層２ａとベルト体１の間に離型紙３が介挿されてこの環状体２Ｒとベルト体１の間が離型状態になっていることを特徴とする封緘ベルト。【選択図】      図２
2004284626.tif 000002
【特許請求の範囲】
【請求項１】
薄いシート状で、その表面に印刷あるいは筆記が可能なベルト体１と、このベルト体１の一端側に固定された環状体２Ｒと、この環状体２Ｒと前記ベルト体１の間に介挿された離型シート３とからなり、前記環状体２Ｒの内面に粘着剤層２ａが形成され、非封緘状態において前記環状体２Ｒの粘着層２ａとベルト体１の間に離型紙３が介挿されてこの環状体２Ｒとベルト体１の間が離型状態になっていることを特徴とする封緘ベルト。
【請求項２】
少なくとも前記ベルト体１は耐水性のある合成紙で形成されていることを特徴とする請求項１記載の封緘具。
【請求項３】
前記離型シート３は、長片３ａと短片３ｂを形成するように二つ折りされていることを特徴とする請求項１記載の封緘ベルト。
【請求項４】
前記離型シート３は、長片３ａと短片３ｂを形成するように二つ折りされており、前記環状体２Ｒの環状体２Ｒの天井面に接着され、ベルト体１側は非接着状態であり、かつ、ベルト体１側に長片３ａが、環状体２Ｒ側に短片３ｂがそれぞれ位置していることを特徴とする請求項１記載の封緘ベルト。
【請求項５】
前記ベルト体１には被封緘物を管理するための記号５が記入され、また、前記ベルト体１には前記記号５と関連する記号が記入されたシール片５ａが剥離可能に貼着されていることを特徴とする請求項１記載の封緘ベルト。
【請求項６】
前記環状体２には、封緘時にベルト体１に貼付するシール片２ｃが設けられていることを特徴とする請求項１記載の封緘ベルト。
【請求項７】
前記環状体２には、封緘時にベルト体１に貼付するシール片２ｃが設けられており、このシール片２ｃには切断部２ｄが形成されている請求項１記載の封緘ベルト。
【請求項８】
前記ベルト体１を被封緘物に挿通し、その端部Ｘを前記環状体２Ｒの穴Ｙに挿通した後に、前記離型シート３を抜き取り、更に前記環状体２Ｒを押圧してベルト体を前記環状体２Ｒ内に接着固定した状態において、
前記ベルト体１の引張強度に比較して、前記環状体２Ｒとベルト体１との接着強度の方が大きく、このベルト体１が引張りによって破断されても、前記環状体２Ｒは破壊されない強度に設定されていることを特徴とする請求項１記載の封緘ベルト。
【発明の詳細な説明】
【０００１】
【発明の属する技術分野】
本発明は、ベルト状の封緘具であって、特に、ベルト体に印刷あるいは筆記が可能な合成紙を使用した封緘具を提供するものである。
【０００２】
【従来の技術】
例えば、電力計などの計器類のように、金属製の本体などの固い材質の蓋を閉止した後に取付ける封緘手段としては、銅線のような柔らかい金属線と、鉛のような金属の止め具を使用した封緘具が使用されている。しかし、これはコスト高になる上に、封緘操作に特殊な工具を必要とする。更に、前記止め具には限ぎられた刻印しか適用できない。
【０００３】
また、郵袋のような布製の袋の口を紐で縛って封緘するものとして、布製のテープに雄雌の金属製のハトメなどを固定し、テープを袋の口部の回した後にハトメ嵌合させ、これを工具で変形させて固定するものもあるが、これも前記と同様にコスト高になる上に特殊な工具が必要である。また、これも管理番号などを記録することができない。
【０００４】
また、大量生産によって価格を下げるために、ナイロンやポリプロピレンなどの合成樹脂材料を使用した封緘具も多く使用されるようになってきた（例えば、特許文献１参照）。
【０００５】
また、紐状に縛る部分と平板状の表示部を一体に成形したプラスチック製の封緘具を提案されている（例えば、特許文献２参照）。
【０００６】
更にまた、合成樹脂材料を使用した認識バンドではあるが、表示部を大きくし、この部分に表示シートなどを貼ったり、油性のサインペンなどで簡単な記号を記入するようにしたものもある（例えば、特許文献３参照）。
【０００７】
【特許文献１】
特許第２８４７１００号
【特許文献２】
実用新案登録第２０６２８９０号
【特許文献３】
特許第３２４５０２８号
【０００８】
【発明が解決すべき課題】
前記特許文献１に記載された発明に係る合成樹脂製の封緘具は、細い線材からなる連結部材の両側に狭幅のヘラ状の薄板部をそれぞれ形成し、この薄板部の一方に凹部材（止め部）を、他方に凸部材をそれぞれ形成したものである。
【０００９】
この封緘具は、狭い面積の薄板部を表示部としているので、この部分に記入できるものは、整理番号や品番などのような簡単な記号程度のものである。しかもこの封緘具をしようする際には、その都度、刻印するか、あるいは特別な印刷機を準備して印刷しなければならないという問題がある。
【００１０】
例えば、封緘具に簡単に管理番号をスタンプしたり、ボールペンなどで封緘に必要な情報を記入するようなことはできない。
【００１１】
また、特許文献２に記載された発明に係る封緘具は、多数の凹凸状の係合部を設けた紐状部と、これの一端に前記係合部に係合する機構を持ち、更に比較的大きな名刺大程度の板状の表示部を形成したものである。
【００１２】
この大型表示部付きの封緘具は、合成樹脂で形成されているので、当然のことながら印刷性は極めて悪く、これの改善には表面の後加工が必要である上に、特別な印刷手段や刻印手段を必要とするなどの問題がある。
【００１３】
更に、特許文献３に記載された発明に係る認識バンドは、病院や遊園地などで使用するために開発されたものであり、封緘部に特殊な破壊構造が採用されている。しかし、表示部が合成樹脂からなる薄板状であるので、これも印刷性や筆記性や印字性などの問題がある。
【００１４】
本発明は、特に印刷性、筆記性あるいは押印性などの通常の筆記手段によって記号や文字を記録するために、特にベルト体の素材として紙を使用した封緘具を提供することを目的とするものである。
【００１５】
【課題を解決するための手段】
前記目的を達成するための本発明に係る封緘ベルトは、次のように構成されている。
【００１６】
１）薄いシート状で、その表面に印刷あるいは筆記が可能なベルト体１と、このベルト体１の一端側に固定された環状体２Ｒと、この環状体２Ｒと前記ベルト体１の間に介挿された離型シート３とからなり、前記環状体２Ｒの内面に粘着剤層２ａが形成され、非封緘状態において前記環状体２Ｒの粘着層２ａとベルト体１の間に離型シート３が介挿されてこの環状体２Ｒとベルト体１の間が離型状態になっていることを特徴としている。
【００１７】
２）少なくとも前記ベルト体１は耐水性のある合成紙で形成されていることを特徴としている。
【００１８】
３）前記離型シート３は、長片３ａと短片３ｂを形成するように二つ折りされていることを特徴としている。
【００１９】
４）前記離型シート３は、長片３ａと短片３ｂを形成するように二つ折りされており、前記環状体２Ｒの環状体２Ｒの天井面に接着され、ベルト体１側は非接着状態であり、かつ、ベルト体１側に長片３ａが、環状体２Ｒ側に短片３ｂがそれぞれ位置していることを特徴としている。
【００２０】
５）前記ベルト体１には被封緘物を管理するための記号５が記入され、また、前記ベルト体１には前記記号５と関連する記号が記入されたシール片５ａが剥離可能に貼着されていることを特徴としている。
【００２１】
６）前記環状体２には、封緘時にベルト体１に貼付するシール片２ｃが設けられていることを特徴としている。
【００２２】
７）前記環状体２には、封緘時にベルト体１に貼付するシール片２ｃが設けられており、このシール片２ｃには切断部２ｄが形成されていることを特徴としている。
【００２３】
８）前記ベルト体１を被封緘物に挿通し、その端部Ｘを前記環状体２Ｒの穴Ｙに挿通した後に、前記離型シート３を抜き取り、更に前記環状体２Ｒを押圧してベルト体を前記環状体２Ｒ内に接着固定した状態において、前記ベルト体１の引張強度に比較して、前記環状体２Ｒとベルト体１との接着強度の方が大きく、このベルト体１が引張りによって破断されても、前記環状体２Ｒは破壊されない強度に設定されていることを特徴としている。
【００２４】
本発明に係る封緘ベルトは、従来のように金属線を使用したり、合成樹脂の成形品を使用したりするものではなく、印刷性と、筆記具を使用する筆記性、更に印鑑などを使用して被封緘物の取扱中の状態を簡単に確認できる封緘具を提供することを目的とするものである。
【００２５】
従って、本発明に係る封緘ベルトに使用される素材は、第１は紙テープであるが、この紙は、印刷性と筆記性などの特性を持っていることは勿論であるが、封緘に必要な十分な強度を持ち、しかも雨水がかかっても強度が変化しないものであることが必要である。その意味において、外国郵便や防水シートなどに使用されいてる合成紙が適している。
【００２６】
この合成紙に続く材料としては、合成紙と同程度の強度を持つ合成樹脂フイルムあるいはシートであって、その表面を印刷あるいは筆記ができ、更に、接着剤で強力に接着できるように改良処理されたものであっても良い。
【００２７】
また、耐水性のある紙と強度のある合成樹脂フイルムをラミネートした複合紙や中間部に合成樹脂フイルムを配置し、その両面に紙が配置されたラミネートした複合紙も使用できる。
【００２８】
本発明に係る封緘ベルトは、ベルト体と環状体と離型シートより構成されているが、ベルト体は材料を有効に利用する意味で紙テープを使用してベルト体と環状体を製造し、両者を粘着剤が接合する方法を採用するのが良い。
【００２９】
また、製造工程とコストによっては、紙あるいは複合紙をプレス加工によってベルト体と環状体からなるパターンを同時に製造することも可能である。
【００３０】
本発明に係る封緘ベルトを使用する際には、ベルト体を環状体に挿通した後に環状体を押圧して、この環状体とベルト体とを接着することによって封緘操作ができるものであるが、この接着は前記環状体を操作することによって簡単に分解できるものであってらならない。また、この環状体あるいはベルト体を開封操作した時には、これが外見によって簡単にチエック分かるものであることが好ましい。
【００３１】
例えば、離型シートを環状体より引抜いた時に、環状体の縁部より薄い透明な紙が引出され、これで環状体を穴を閉止して一種の封緘部を形成し、若し、この封緘部が破壊された場合に、この環状体を引抜いたことが判かるようにすることもできる。
【００３２】
また、環状体にシール片を延長して設け、これをベルト体に接着することで、封緘を解除しようとした場合には、このシール片が破断するようにすることもできる。
【００３３】
【発明の実施の形態】
次に、図面を参照して本発明の封緘ベルトの実施の形態について説明する。
【００３４】
図１は本発明の封緘ベルトの製造工程の説明用斜視図、図２は完成した封緘ベルトの一部を断面した斜視図である。
【００３５】
本発明の封緘ベルトの素材として紙製ベルトを使用しているが、この紙製ベルトを形成する紙テープとしては、最近では、例えば、外国郵便物の封筒などに使用されている合成紙のように、耐水性と、かなりの強度を持ち、その上で印刷性と筆記性と押印性があり、更に粘着紙あるいは粘着テープを使用したシールの接着が可能な性質を持ったものを使用する。
【００３６】
製造工程は図示されていないが、紙テープのロールよりテープを引出して、図１に示す紙製のベルト体１を所定位置に配置する。このベルト体１は紙テープのロールより引出したままの連続状態、あるいは所定の長さに切断した短冊片の状態の何れでも使用できる。
【００３７】
前記ベルト体１の一端側に、片面に粘着剤層２ａを設けた紙テープ２ｂを使用した粘着紙テープ２を、前記ベルト体１の裏面に直交するように配置し、この粘着紙テープ２と前記ベルト体１を十字架のような形状に接着して準備しておく。
【００３８】
次に、長片３ａと短片３ｂが段差を持って形成されるように二つに折曲げた離型シート３を配置する。そして粘着紙テープ２の右片Ｒと左片Ｌを、恰も前記離型シート３を下側から上側に抱くように折曲げて両片Ｒ，Ｌ同志を接合してこの粘着テープ２を環状体２Ｒを形成する。
【００３９】
このように組立てた状態は図２に示したように、粘着紙テープ２は環状体２Ｒを形成し、その中に端部が一致しないように二つ折りにした離型シート３が配置されている。この環状体２Ｒの内面は図１のように粘着剤２ａが内面に配置されているので、このベルト体１の裏面と、この環状部２Ｒの内部上面とは接着されているが、ベルト体１の上面と粘着紙テープ２との間は離型シート３で隔離されて接着されていない。
【００４０】
前記のように構成されたならば、図２に示すように封緘ベルトＳＢの中間体が形成されたならば、ベルト体１の表面に管理番号（あるいは記号でも良い）５を印刷あるいはスタンプもしくは記入する。そしてこの管理番号５の上でも良いが、好ましくは別の部分に粘着紙を使用した、照合や記録のためのシール５ａを貼付する。
【００４１】
前記管理番号５とシール５ａに記載された番号とは対応する番号あるいは同一な番号を使用するのが良い。図３は前記のような工程によって完成された封緘ベルトＳＢの平面図、図４は同側断面図である。
【００４２】
次に、図１及び図５を参照して本発明に係る封緘ベルトＳＢの使用方法を説明する。
【００４３】
例えば、トラックの煽り部分や、倉庫のドア、あるいは部品メーカーからユーザーに運搬する部品の運搬箱の蓋部などに本発明に係る封緘ベルトＳＢを使用して封緘する場合について説明する。
【００４４】
例えば、符号１０の部材を倉庫の入り口の枠部とし、符号１１を倉庫のドアとした場合、枠部１０に第１金具１２が設けられ、ドア１１側に第２金具１３が設けられ、これらの金具１２、１３の間に本発明に係る封緘バンドＳＢを使用して封緘する場合について説明する。
【００４５】
先づ、両金具１２、１３の間に封緘バンドＳＢのベルト体１を挿通し、このベルト体１の先端Ｘの部分を環状体２Ｒの穴Ｙに挿入する操作が必要であるが、この挿入操作の前段階においては、この環状体２Ｒの穴Ｙの天井面には粘着紙テープ２に形成された粘着剤層２ａによって離型シート３が貼着されている（図２、４）。従って、このベルト体１の先端Ｘを二つ折りの離型シート３の長片３ａの下側Ｚの隙間に挿入することになる。
【００４６】
このようにして所定の長さまでベルト体１が環状体２Ｒ内に引き込まれたならば、二つ折りにした離型シート３を環状体２Ｒの中から引き抜く。図１を参照して説明したように、この環状体２Ｒの天井面には粘着剤層２ａが形成されているので、この離型シート３を引き抜いくと粘着紙テープ２の粘着剤層２ａが露出する。次に、この環状体２Ｒを押圧すると、ベルト体１の上側の背面がこの環状体２Ｒに粘着剤層２ａによって接着固定されることになる。
【００４７】
そして図２に示すように、このベルト体１の表面にはシール５ａが貼着されているが、このベルト体１には管理番号５や管理上の記号が印刷、あるいは任意に記入されている。そして前記シール５ａには前記管理番号５に対応する対応管理番号が記入されているので、例えば、これを倉庫のドア１１の開閉を管理するノートや受渡し伝票に貼付けておく。この一連の作業によってこのドア１１は所定の管理者によって所定の時刻に閉鎖されたことを確認することができる。
【００４８】
次に図６〜８を参照して別の実施の形態を説明する。
【００４９】
この形態においては、環状体２Ｒを形成する元の粘着紙テープ２を図８に示すようにＬ形に形成し、この延長された部分をシール片２ｃとする。
【００５０】
そしてこのシール片２ｃの根元の部分に弱い部分（例えば、ミシン目を入れたり、線状に押圧して一部を薄く形成する）で形成された切断部２ｄを設け、環状体２Ｒを操作すると簡単に切断できるようにしておく。そして図５に示すように離型シート３を環状体２Ｒより抜き取って封緘した状態では、環状体２Ｒの側部にシール片２ｃが延長され、これがベルト体１に接着される（図６、７）。従って、この環状体２Ｒはしっかりと保護されることになる。
【００５１】
そして封緘を解除するためにこの環状体２Ｒとベルト体１との接着状態を操作すると、前記シール片２ｃが切断されることになり、封緘が解除されたこと、あるいは解除するための操作されたことを確認することができる。また、このシール片２ｃに例えば赤色などで着色しておくと、封緘の操作を禁ずる注意信号のように見えるので、封緘の管理が容易となる。
【００５２】
【発明の効果】
本発明に係る封緘ベルトは、薄いシート状で、その表面に印刷あるいは筆記が可能なベルト体１と、このベルト体１の一端側に固定された環状体２Ｒと、この環状体２Ｒと前記ベルト体１の間に介挿された離型シート３とからなり、前記環状体２Ｒの内面に粘着剤層２ａが形成され、非封緘状態において前記環状体２Ｒの粘着層２ａとベルト体１の間に離型紙３が介挿されてこの環状体２Ｒとベルト体１の間が離型状態になっていることを特徴としている。
【００５３】
従って、ベルト体１上に簡単に文字や記号を記入や印刷することができ、しかもこの記入や印刷は通常の筆記具でできることから、封緘する者が何時でもこれを記入して封緘状態を管理することができる。
【００５４】
また、ベルト体１には被封緘物を管理するための記号５が記入され、また、前記ベルト体１には前記記号５と関連する記号が記入されたシール片５ａが剥離可能に貼着されていることを特徴としている。
【００５５】
このようにベルト体１とこれに貼付されたシール片５ａとに関連する記号や符号を記入しておくことにより、封緘時に前記シール片５ａをベルト体１より剥離して管理ノートなどに貼付けることで、封緘操作を確認することができる。また、この封緘ベルトを使用した物の数の管理、移送時の管理などを効果的に行うことができる。
【図面の簡単な説明】
【図１】本発明に係る封緘ベルトの製造工程を示す斜視図である。
【図２】本発明に係る封緘ベルトの一部を切開して示す斜視図である。
【図３】本発明に係る封緘ベルトの平面図である。
【図４】本発明に係る封緘ベルトの横断面図である。
【図５】本発明に係る封緘ベルトの使用方法の例を示す説明図である。
【図６】第２の実施例の封緘部の断面図である。
【図７】図６の平面図である。
【図８】第２の実施例に使用する粘着紙テープの一例を示す図である。
【符号の簡単な説明】
１  ベルト体      ２  粘着紙テープ      ２ａ  粘着剤層
２ｂ  紙テープ    ２ｃ  シール片        ２ｄ  切断部
３  離型シート        ３ａ  長片        ３ｂ  短片
５  整理番号          ５ａ  シール片
１０  枠部      １１  ドア      １１，１２  金具
【図１】
2004284626.tif 000003
【図２】
2004284626.tif 000004
【図３】
2004284626.tif 000005
【図４】
2004284626.tif 000006
【図５】
2004284626.tif 000007
【図６】
2004284626.tif 000008
【図７】
2004284626.tif 000009
【図８】
2004284626.tif 000010